(57)【要約】      （修正有）【課題】種々の形状および言語仕様の射出成形機に使用することができ、生産上の管理も容易な射出成形機の表示設定装置を提供する。【解決手段】少なくとも射出成形機の制御情報を表示する表示設定装置であって、画像表示部と、前記表示情報を格納する記憶部と、前記表示情報に基づいて、前記表示部の表示領域の少なくとも一部に、前記射出成形機の形状を表す図とともに前記射出成形機の制御対象となる部分のスイッチ類表示領域と、制御対象部分に関する情報を表す制御データ類表示領域とを表示させる制御部と、少なくとも前記スイッチ類表示領域に対応して配置され、前記スイッチへの操作入力を受け付けるタッチキーパネルとを備え、前記制御部は、前記タッチキーパネルからの操作入力信号に基づいて、前記制御データ類表示領域に制御対象となる部分に関する情報を表示させる。【選択図】  図１
2005028577.tif 000002
【特許請求の範囲】
【請求項１】
少なくとも射出成形機を制御するための画像情報を表示する射出成形機コントローラの表示設定装置であって、
画像表示を行う表示部と、
前記表示部における画像表示に用いる表示情報を格納する記憶部と、
前記表示情報に基づいて、前記表示部の表示領域の少なくとも一部に、前記射出成形機の形状を表す図とともに前記射出成形機の制御対象となる部分に対応するスイッチを表したスイッチ類表示領域と、前記射出成形機の制御対象となる部分に関する情報を表す制御データ類表示領域とを表示させる制御部と、
少なくとも前記スイッチ類表示領域に対応して配置され、前記スイッチへの操作入力を受け付けるタッチキーパネルとを備え、
前記制御部は、前記スイッチへの操作入力による前記タッチキーパネルからの操作入力信号に基づいて、前記制御データ類表示領域に前記スイッチに対応する射出成形機の制御対象となる部分に関する情報を表示させる射出成形機コントローラの表示設定装置。
【発明の詳細な説明】
【０００１】
【発明の属する技術分野】
本発明は、射出成形機コントローラの表示設定装置に関するものである。
【０００２】
【従来の技術】
従来、射出成形機を操作するためのコントローラの表示設定装置として、図２に示すようなものが提供されている。この従来の射出成形機コントローラの表示設定装置は、ディスプレイ９２と、画面切替等を行うための射出成形機の図９３が描かれたシートキー９１と、置数キー９４と、カーソルキー９５とから構成されている。シートキー９１の射出成形機の図９３中に描かれているキー９３ａ〜９３ｋを押すことにより、射出成形機におけるそのキー部分に対応する部分に関連する制御データの画面が表示される（例えば、特許文献１参照。）。例えば、射出スクリュシリンダを表す部位に設けられているキー９３ｇを押すと、ディスプレイ９２にはスクリュの射出条件を制御するための画面が表示される（図２参照）。
【０００３】
【特許文献１】
実公平４−２０１６号公報  （第３―４頁、第１図）
【０００４】
【発明が解決しようとする課題】
上述した従来の射出成形機コントローラの表示設定装置では、シートキーに対して直接、射出成形機の図が描かれている。この場合、例えば竪型機と横型機とでは、機械の形状が異なるため、シートキーに描かれる図も異なる。すなわち、形状の異なる射出成形機毎に、その射出成形機の形状に対応したシートキーを用意する必要がある。また、このようなシートキーには文字が描かれており、その射出成形機コントローラの言語仕様それぞれに対応したシートキーを用意する必要があった。
【０００５】
例えば、形状の異なる４種類の射出成形機がある場合、それぞれの機械において５カ国語の言語仕様に対応しようとすると、４×５＝２０種類のシートキー（ハードウェア）を用意する必要があり、生産上の管理が面倒であるという問題があった。
【０００６】
本発明は上述した問題点を解決するためになされたものであり、種々の形状および種々の言語仕様の射出成形機にて使用することができ、生産上の管理も容易な射出成形機コントローラの表示設定装置を提供することを目的とする。
【０００７】
【課題を解決するための手段】
上述した課題を解決するため、本発明に係る射出成形機コントローラの表示設定装置は、少なくとも射出成形機を制御するための画像情報を表示する射出成形機コントローラの表示設定装置であって、画像表示を行う表示部（ディスプレイ１）と、前記表示部における画像表示に用いる表示情報を格納する記憶部と、前記表示情報に基づいて、前記表示部の表示領域の少なくとも一部に、前記射出成形機の形状を表す図（１３）とともに前記射出成形機の制御対象となる部分に対応するスイッチ（１３ａ〜１３ｅ）を表したスイッチ類表示領域（Ｓ）と、前記射出成形機の制御対象となる部分に関する情報を表す制御データ類表示領域（Ｃ）とを表示させる制御部と、少なくとも前記スイッチ類表示領域に対応して配置され、前記スイッチへの操作入力を受け付けるタッチキーパネル（２）とを備え、前記制御部は、前記スイッチへの操作入力による前記タッチキーパネルからの操作入力信号に基づいて、前記制御データ類表示領域に前記スイッチに対応する射出成形機の制御対象となる部分に関する情報を表示させる構成となっている。
【０００８】
このような構成とすることにより、射出成形機コントローラの表示設定装置を、他の異なる形状の射出成形機に搭載しようとする場合でも、記憶部に当該異なる形状の射出成形機の図形、およびこの射出成形機の形状に対応したスイッチ類を表示するために必要な情報を記憶させておくことで、容易に対応することができる。
【０００９】
また、使用しようとする言語が複数ある場合でも、もしくは使用する言語を変更する場合にも、記憶部に格納させる言語表示に関する情報を複数の言語に相当するものにしておくか、必要に応じてその言語に対応するデータを格納させることにより、容易に対応することができる。
【００１０】
また、従来の射出成形機コントローラの表示設定装置のように、あらゆる形状の射出成形機および言語仕様に合わせて別々にシートキーを用意する必要もないため、生産上の管理も簡単になる。
【００１１】
すなわち、種々の形状および種々の言語仕様の射出成形機にて使用することができ、生産上の管理も容易な、射出成形機コントローラの表示設定装置を提供することができる。
【００１２】
本発明に係る射出成形機コントローラは、上述のような射出成形機コントローラの表示設定装置を備え、前記射出成形機コントローラの表示設定装置により表示された内容に基づく操作入力により前記射出成形機の制御を行う構成となっている。
【００１３】
本発明に係る射出成形機は、上述のような射出成形機コントローラを備え、
前記射出成形機コントローラへの操作入力に基づいて、前記操作入力に対応する動作を行う構成となっている。
【００１４】
【発明の実施の形態】
以下、本発明の実施の形態について図面を参照しつつ説明する。
図１に示すように、本発明の実施の形態による射出成形機コントローラの表示設定装置は、ディスプレイ（表示部）１と、タッチキーパネル２と、不図示の記憶部と、不図示の制御部とを備えている。
【００１５】
ディスプレイ１の表示面上には、その表示面の一部に光透過性のタッチキーパネル２が重ねて配置されている。操作者によりタッチキーパネル２への操作入力が行われると、操作入力信号を受け取った不図示の制御部はこの操作入力に基づく映像をディスプレイ１に表示させる。このとき、不図示の制御部は、必要に応じて不図示の記憶部に格納されている情報を参照する。この不図示の記憶部には、後述する射出成形機の図の表示に必要な情報等（表示情報）が格納されている。なお、図１に示すディスプレイ１は、横長配置されているが、これに限られるものではなく、縦長もしくは縦横同長（略正方形）配置とすることもできる。
【００１６】
本実施の形態においては、ディスプレイ１の表示面の下側には射出成形機の図１３とともにこの射出成形機の各部に対応するスイッチ等（例えば、１３ａ〜１３ｅなど）が表示されており（スイッチ類表示領域Ｓ）、上側には射出成形機に関する制御情報等が表示される（制御データ類表示領域Ｃ）。
【００１７】
上述のタッチキーパネル２は、このスイッチ類表示領域Ｓを覆うように重ねられており、ディスプレイ１のスイッチ類表示領域Ｓに対応する部分に表示される射出成形機の各部に対応するスイッチ等の部分を押下することにより、タッチキーパネル２への操作入力が行われる。
【００１８】
例えば、ディスプレイ１のスイッチ類表示領域Ｓに対応する部分に表示されている射出成形機の射出スクリュシリンダを表す部位に表示されているスイッチ１３ｅを押下すると、不図示の制御部はディスプレイ１の制御データ類表示領域Ｃに対応する部分にスクリュの回転条件等に関する情報を表示する（図１参照）。
【００１９】
このように、ディスプレイ１のスイッチ類表示領域Ｓに対応する部分に表示されているスイッチ等を押すことにより（すなわち、スイッチ類表示領域Ｓに重ねて配置されているタッチキーパネル２への操作入力により）、ディスプレイ１の制御データ類表示領域Ｃに対応する部分の表示内容が切り替わるようになっている。
【００２０】
例えば、本実施の形態による射出成形機コントローラの表示設定装置を、他の異なる形状の射出成形機に搭載しようとする場合、上述の不図示の記憶部に当該異なる形状の射出成形機の図形、およびこの射出成形機の形状に対応したスイッチ類を表示するために必要な情報を記憶させておくことで、容易に対応することができる。
【００２１】
また、使用しようとする言語が複数ある場合、もしくは使用する言語を変更する場合にも、上述の不図示の記憶部に格納させる言語表示に関する情報を複数の言語に相当するものにしておくか、必要に応じてその言語に対応するデータを格納させることにより、容易に対応することができる。
【００２２】
なお、上述した例では、ディスプレイ１の表示面の上側に制御データ類表示領域Ｃを、ディスプレイ１の表示面の下側にスイッチ類表示領域Ｓを表示させる構成（画面を上下に２分割する構成）としているが、これに限られるものではなく、画面を左右に２分割する構成や、画面中央にスイッチ類表示領域Ｓを、スイッチ類表示領域Ｓの周囲に制御データ類表示領域Ｃを表示させることもできる。また、ディスプレイ１の画面における表示内容に少なくとも制御データ類表示領域Ｃとスイッチ類表示領域Ｓとが含まれていればよく、残りの領域に他の表示内容が同時に表示されていてもよい。
【００２３】
また本実施の形態では、タッチキーパネル２はスイッチ類表示領域Ｓのみを覆うように配置された例を挙げているが、これに限られるものではなく、ディスプレイ１全体（すなわち、制御データ類表示領域Ｃを含めて）を覆うように配置されていてもよい。この場合、タッチキーパネル２の制御データ類表示領域Ｃに対応する部分からの操作入力も可能となる。
【００２４】
上述した不図示の制御部には、例えばＣＰＵ等が適用可能である。
【００２５】
なお、上述したディスプレイ１は液晶パネルであることが好ましいが、これに限られるものではなく、ＣＲＴディスプレイ、プラズマディスプレイ等の他の画面表示を行う装置が利用可能であることは言うまでもない。
【００２６】
また、上述した不図示の記憶部はＲＡＭであることが望ましいが、これに限られず、ＲＯＭ、ＨＤＤ、ＣＤ−ＲＯＭ、ＤＶＤ等の記憶領域を利用することが可能である。なお、記憶部は射出成形機の外部に配置されている構成とすることもでき、例えば射出成形機とネットワーク接続された外部機器に配置されていてもよい。
【００２７】
本実施の形態による射出成形機コントローラの表示設定装置を備え、この射出成形機コントローラの表示設定装置により表示された内容に基づく操作入力により射出成形機の制御を行う射出成形機コントローラを構成することで、上述のような効果を奏する射出成形機コントローラを提供することができる。
【００２８】
また、このような射出成形機コントローラを備え、この射出成形機コントローラへの操作入力に基づいて、操作入力に対応する動作を行う射出成形機を構成することにより、上述のような効果を奏する射出成形機を提供することができる。
【００２９】
以上のような構成とすることで、切替画面がイメージしやすいスイッチが表示され、かつハードウェアは同一で、あらゆる形状の射出成形機および言語仕様に対応することのできる射出成形機コントローラの表示設定装置を提供することが可能となる。
【００３０】
また、従来の射出成形機コントローラの表示設定装置のように、あらゆる形状の射出成形機および言語仕様に合わせて別々にシートキーを用意する必要もないため、生産上の管理も簡単になる。
【００３１】
以上のように、本実施の形態による射出成形機コントローラの表示設定装置は、少なくとも射出成形機を制御するための画像情報を表示する射出成形機コントローラの表示設定装置であって、画像表示を行うディスプレイ１と、ディスプレイ１における画像表示に用いる表示情報を格納する不図示の記憶部と、この表示情報に基づいて、ディスプレイ１の表示領域の少なくとも一部に、射出成形機の形状を表す図１３とともに射出成形機の制御対象となる部分に対応するスイッチ１３ａ〜１３ｅ等を表したスイッチ類表示領域Ｓと、射出成形機の制御対象となる部分に関する情報を表す制御データ類表示領域Ｃとを表示させる不図示の制御部と、少なくともスイッチ類表示領域Ｓに対応して配置され、スイッチ１３ａ〜１３ｅ等への操作入力を受け付けるタッチキーパネル２とを備え、不図示の制御部は、スイッチ１３ａ〜１３ｅへの操作入力によるタッチキーパネル２からの操作入力信号に基づいて、制御データ類表示領域Ｃにスイッチに対応する射出成形機の制御対象となる部分に関する情報を表示させる構成となっている。
【００３２】
換言すれば、ディスプレイとタッチキーパネルを備え、ディスプレイ画面の一部分をスイッチ類表示領域Ｓとし、残りの部分を制御データ類表示領域Ｃとし、スイッチ類表示領域Ｓには射出成形機の図とともに描かれたスイッチ等が表示されており、そのスイッチ部を押下することにより、制御データ類表示領域Ｃが、その図に対応した制御データ表示に切り替わる構成となっている。
【００３３】
【発明の効果】
以上に詳述したように本発明によれば、種々の形状および種々の言語仕様の射出成形機にて使用することができ、生産上の管理も容易な射出成形機コントローラの表示設定装置を提供することができる。
【図面の簡単な説明】
【図１】本発明の実施の形態による射出成形機コントローラの表示設定装置を説明するための図である。
【図２】従来の射出成形機コントローラの表示設定装置について説明するための図である。
【符号の説明】
１  ディスプレイ、１３  射出成形機の図、１３ａ〜１３ｅ  スイッチ、Ｃ  制御データ類表示領域、Ｓ  スイッチ類表示領域。
【図１】
2005028577.tif 000003
【図２】
2005028577.tif 000004